(57)【要約】【課題】ＩＥＥＥ１３９４シリアルバスに接続されるＨＤＤ内蔵ＤＶＤレコーダ等のディスク録画装置において、パソコン側で編集後のＤＶストリームを、簡単、かつ、短時間でＨＤＤ内蔵ＤＶＤレコーダ内のＤＶＤ又はハードディスクにダビングする。【解決手段】パソコンから入力可能なストリームの種類の問い合わせ用のコマンドを受信したときに（Ｓ１）、パソコンに対してＤＶストリームと応答し（Ｓ２）、パソコンからサブユニットの種類の問い合わせ用のコマンドを受信したときに（Ｓ３）、パソコンに対してテープレコーダ／プレーヤサブユニット及びカメラサブユニットと応答することにより（Ｓ４）、パソコン側からＤＶカメラと認識されるようにする。これにより、ユーザが、パソコン側でプログラム上の書き戻し機能を用いて、パソコン側で編集したＤＶストリームを、簡単にＨＤＤ内蔵ＤＶＤレコーダ内のＤＶＤ又はハードディスクにダビングできる（Ｓ７）。【選択図】図３
2006217463.tif 000002
【特許請求の範囲】
【請求項１】
ＩＥＥＥ１３９４シリアルバスを介して外部接続機器と接続され、
前記外部接続機器との間で制御用コマンドとその応答信号の送受信、及びＤＶストリームの送受信を行うためのＩＥＥＥ１３９４インタフェースと、
前記ＩＥＥＥ１３９４インタフェースを介して前記外部接続機器から受信したＤＶストリームをＤＶＤ（Digital Versatile Disc）に録画するためのＤＶＤ録画手段と、
前記ＩＥＥＥ１３９４インタフェースを介して前記外部接続機器から受信したＤＶストリームを内蔵のハードディスクに録画するためのＨＤＤ（Hard Disk Drive）と、
前記ＩＥＥＥ１３９４インタフェースを介して前記外部接続機器から受信したＤＶストリームを前記ＤＶＤ録画手段又は前記ＨＤＤにより録画する処理を制御する録画制御手段とを備えた、ＩＥＥＥ１３９４シリアルバスに接続されるＨＤＤ内蔵ＤＶＤレコーダにおいて、
前記外部接続機器は、ＤＶ(Digital Video)カメラ内のＤＶテープへのＤＶストリームの書き戻し機能を有するプログラムがインストールされたパーソナルコンピュータ(以下、パソコンと略す)であり、
前記パソコンから受信したテープレコーダ／プレーヤサブユニット用の制御コマンドを、ディスクレコーダ／プレーヤサブユニット用の制御コマンドに変換するコマンド変換テーブルを記憶する変換テーブル記憶手段をさらに備え、
前記録画制御手段は、
前記パソコンから入力可能なストリームの種類の問い合わせ用のコマンドを受信したときに、前記パソコンに対してＤＶストリームと応答し、
前記パソコンから、該当のＨＤＤ内蔵ＤＶＤレコーダが有するサブユニットの種類の問い合わせ用のコマンドを受信したときに、前記パソコンに対してテープレコーダ／プレーヤサブユニット及びカメラサブユニットと応答し、
前記パソコンからテープレコーダ／プレーヤサブユニット用の録画コマンドを受信したときに、前記変換テーブル記憶手段に記憶されたコマンド変換テーブルに基づき、受信したテープレコーダ／プレーヤサブユニット用の録画コマンドをディスクレコーダ／プレーヤサブユニット用の録画コマンドに変換して、変換後の録画コマンドを実行することにより、前記パソコンから送信されるＤＶストリームを前記ＤＶＤ録画手段又は前記ＨＤＤにより録画するようにしたことを特徴とするＩＥＥＥ１３９４シリアルバスに接続されるＨＤＤ内蔵ＤＶＤレコーダ。
【請求項２】
ＩＥＥＥ１３９４シリアルバスを介して外部接続機器と接続され、
前記外部接続機器との間で制御用コマンドとその応答信号の送受信、及びＤＶストリームの送受信を行うためのＩＥＥＥ１３９４インタフェースと、
前記ＩＥＥＥ１３９４インタフェースを介して前記外部接続機器から受信したＤＶストリームを、ＤＶＤ（Digital Versatile Disc）、ハードディスク等のディスク録画媒体に録画するためのディスク録画手段と、
前記ＩＥＥＥ１３９４インタフェースを介して前記外部接続機器から受信したＤＶストリームを前記ディスク録画手段により録画する処理を制御する録画制御手段とを備えた、ＩＥＥＥ１３９４シリアルバスに接続されるディスク録画装置において、
前記外部接続機器は、ＤＶ(Digital Video)カメラ内のＤＶテープへのＤＶストリームの書き戻し機能を有するプログラムがインストールされたパーソナルコンピュータ(以下、パソコンと略す)であり、
前記パソコンから受信したテープレコーダ／プレーヤサブユニット用の制御コマンドを、ディスクレコーダ／プレーヤサブユニット用の制御コマンドに変換するコマンド変換テーブルを記憶する変換テーブル記憶手段をさらに備え、
前記録画制御手段は、
前記パソコンから入力可能なストリームの種類の問い合わせ用のコマンドを受信したときに、前記パソコンに対してＤＶストリームと応答し、
前記パソコンから、該当のディスク録画装置が有するサブユニットの種類の問い合わせ用のコマンドを受信したときに、前記パソコンに対してテープレコーダ／プレーヤサブユニット及びカメラサブユニットと応答するようにしたことを特徴とするＩＥＥＥ１３９４シリアルバスに接続されるディスク録画装置。
【請求項３】
前記パソコンからテープレコーダ／プレーヤサブユニット用の録画コマンドを受信したときに、前記変換テーブル記憶手段に記憶されたコマンド変換テーブルに基づき、受信したテープレコーダ／プレーヤサブユニット用の録画コマンドをディスクレコーダ／プレーヤサブユニット用の録画コマンドに変換して、変換後の録画コマンドを実行することにより、前記パソコンから送信されるＤＶストリームを前記ディスク録画手段により録画するようにしたことを特徴とする請求項２に記載のＩＥＥＥ１３９４シリアルバスに接続されるディスク録画装置。
【発明の詳細な説明】
【技術分野】
【０００１】
本発明は、ＩＥＥＥ１３９４シリアルバスを介してパーソナルコンピュータ(以下、パソコンと略す)と接続可能な、ＨＤＤ（Hard Disk Drive）内蔵ＤＶＤ（Digital Versatile Disc）レコーダ等のディスク録画装置に関する。
【背景技術】
【０００２】
従来、ＩＥＥＥ１３９４シリアルバスを介してＤＶ(Digital Video)カメラからパソコンに取り込んだＤＶストリームを、パソコン側で「ムービーメーカ」等のビデオ編集用プログラムを用いて編集した後に、編集後のＤＶストリームを、上記の「ムービーメーカ」等の外部機器へのＤＶストリームの送信機能を有するプログラムを用いて、パソコンから外部機器へ出力する場合には、出力相手の外部機器がＤＶカメラでなければ、操作メニュー上の送信用のボタン（図４中の４４参照）を用いてＤＶストリームを送信することができないような仕様になっている。従って、ユーザは、編集後のＤＶストリームをパソコンからＨＤＤ内蔵ＤＶＤレコーダに転送して、ＤＶＤやハードディスクに録画したい場合には、パソコン側で編集後のＤＶストリームを再生させて強制的に外部出力させた上で、ＨＤＤ内蔵ＤＶＤレコーダ側で録画を手動で開始させて、強引にＤＶＤ又はハードディスクに録画させるという手間のかかる処理を行うか、パソコン側で編集したＤＶストリームを、一旦パソコンからＤＶカメラ内のＤＶテープにダビングした上で、改めてＤＶカメラ内のＤＶテープからＨＤＤ内蔵ＤＶＤレコーダ内のＤＶＤ又はハードディスクにダビングし直すという手間と時間のかかる処理を行う必要があった。そして、ＩＥＥＥ１３９４シリアルバスを介したデータのダビングにおいては、倍速でダビングを行うことができないため、上記のように、パソコン側で編集したＤＶストリームを、一旦パソコンからＤＶカメラ内のＤＶテープにダビングした上で、ＨＤＤ内蔵ＤＶＤレコーダ内のＤＶＤ又はハードディスクにダビングし直すという方法では、パソコン側で編集したＤＶストリームを、パソコンから直接ＨＤＤ内蔵ＤＶＤレコーダ内のＤＶＤ又はハードディスクにダビングした場合と比べて、編集後のＤＶストリームを１回再生するのに必要な時間と同じ時間の分だけ、ダビングに必要なデータ転送時間が長くなってしまう。
【０００３】
ところで、ＤＶカメラで撮影されたＤＶフォーマットのビデオデータを、ＭＰＥＧ等のＤＶＤへ記録するためのデータフォーマットに変換して、パソコン内蔵のＤＶＤドライブでＤＶＤに録画するまでの一連の処理を、ユーザの手動操作を介することなく実行することができるようにしたパソコンが知られている（例えば、特許文献１及び２参照）。けれども、特許文献１及び２に記載された発明では、上記の問題を解決することはできない。
【特許文献１】特開２００４−１０４２８７号公報
【特許文献２】特開２００４−１０４２８４号公報
【発明の開示】
【発明が解決しようとする課題】
【０００４】
本発明は、上記の問題を解決するためになされたものであり、パソコン側で編集後のＤＶストリームを、簡単、かつ、短時間で、ＨＤＤ内蔵ＤＶＤレコーダ内のＤＶＤ又はハードディスクにダビングすることが可能なＩＥＥＥ１３９４シリアルバスに接続されるＨＤＤ内蔵ＤＶＤレコーダ、及びＩＥＥＥ１３９４シリアルバスに接続されるディスク録画装置を提供することを目的とする。
【課題を解決するための手段】
【０００５】
上記目的を達成するために請求項１の発明は、ＩＥＥＥ１３９４シリアルバスを介して外部接続機器と接続され、前記外部接続機器との間で制御用コマンドとその応答信号の送受信、及びＤＶストリームの送受信を行うためのＩＥＥＥ１３９４インタフェースと、前記ＩＥＥＥ１３９４インタフェースを介して前記外部接続機器から受信したＤＶストリームをＤＶＤ（Digital Versatile Disc）に録画するためのＤＶＤ録画手段と、前記ＩＥＥＥ１３９４インタフェースを介して前記外部接続機器から受信したＤＶストリームを内蔵のハードディスクに録画するためのＨＤＤ（Hard Disk Drive）と、前記ＩＥＥＥ１３９４インタフェースを介して前記外部接続機器から受信したＤＶストリームを前記ＤＶＤ録画手段又は前記ＨＤＤにより録画する処理を制御する録画制御手段とを備えた、ＩＥＥＥ１３９４シリアルバスに接続されるＨＤＤ内蔵ＤＶＤレコーダにおいて、前記外部接続機器は、ＤＶ(Digital Video)カメラ内のＤＶテープへのＤＶストリームの書き戻し機能を有するプログラムがインストールされたパーソナルコンピュータ(以下、パソコンと略す)であり、前記パソコンから受信したテープレコーダ／プレーヤサブユニット用の制御コマンドを、ディスクレコーダ／プレーヤサブユニット用の制御コマンドに変換するコマンド変換テーブルを記憶する変換テーブル記憶手段をさらに備え、前記録画制御手段は、前記パソコンから入力可能なストリームの種類の問い合わせ用のコマンドを受信したときに、前記パソコンに対してＤＶストリームと応答し、前記パソコンから、該当のＨＤＤ内蔵ＤＶＤレコーダが有するサブユニットの種類の問い合わせ用のコマンドを受信したときに、前記パソコンに対してテープレコーダ／プレーヤサブユニット及びカメラサブユニットと応答し、前記パソコンからテープレコーダ／プレーヤサブユニット用の録画コマンドを受信したときに、前記変換テーブル記憶手段に記憶されたコマンド変換テーブルに基づき、受信したテープレコーダ／プレーヤサブユニット用の録画コマンドをディスクレコーダ／プレーヤサブユニット用の録画コマンドに変換して、変換後の録画コマンドを実行することにより、前記パソコンから送信されるＤＶストリームを前記ＤＶＤ録画手段又は前記ＨＤＤにより録画するようにしたものである。
【０００６】
請求項２の発明は、ＩＥＥＥ１３９４シリアルバスを介して外部接続機器と接続され、前記外部接続機器との間で制御用コマンドとその応答信号の送受信、及びＤＶストリームの送受信を行うためのＩＥＥＥ１３９４インタフェースと、前記ＩＥＥＥ１３９４インタフェースを介して前記外部接続機器から受信したＤＶストリームを、ＤＶＤ（Digital Versatile Disc）、ハードディスク等のディスク録画媒体に録画するためのディスク録画手段と、前記ＩＥＥＥ１３９４インタフェースを介して前記外部接続機器から受信したＤＶストリームを前記ディスク録画手段により録画する処理を制御する録画制御手段とを備えた、ＩＥＥＥ１３９４シリアルバスに接続されるディスク録画装置において、前記外部接続機器は、ＤＶ(Digital Video)カメラ内のＤＶテープへのＤＶストリームの書き戻し機能を有するプログラムがインストールされたパーソナルコンピュータ(以下、パソコンと略す)であり、前記パソコンから受信したテープレコーダ／プレーヤサブユニット用の制御コマンドを、ディスクレコーダ／プレーヤサブユニット用の制御コマンドに変換するコマンド変換テーブルを記憶する変換テーブル記憶手段をさらに備え、前記録画制御手段は、前記パソコンから入力可能なストリームの種類の問い合わせ用のコマンドを受信したときに、前記パソコンに対してＤＶストリームと応答し、前記パソコンから、該当のディスク録画装置が有するサブユニットの種類の問い合わせ用のコマンドを受信したときに、前記パソコンに対してテープレコーダ／プレーヤサブユニット及びカメラサブユニットと応答するようにしたものである。
【０００７】
請求項３の発明は、請求項２に記載のディスク録画装置において、前記パソコンからテープレコーダ／プレーヤサブユニット用の録画コマンドを受信したときに、前記変換テーブル記憶手段に記憶されたコマンド変換テーブルに基づき、受信したテープレコーダ／プレーヤサブユニット用の録画コマンドをディスクレコーダ／プレーヤサブユニット用の録画コマンドに変換して、変換後の録画コマンドを実行することにより、前記パソコンから送信されるＤＶストリームを前記ディスク録画手段により録画するようにしたものである。
【発明の効果】
【０００８】
請求項１の発明によるＨＤＤ内蔵ＤＶＤレコーダは、パソコンから入力可能なストリームの種類の問い合わせ用のコマンドを受信したときに、パソコンに対してＤＶストリームと応答し、パソコンから、該当のＨＤＤ内蔵ＤＶＤレコーダが有するサブユニットの種類の問い合わせ用のコマンドを受信したときに、パソコンに対してテープレコーダ／プレーヤサブユニット及びカメラサブユニットと応答することにより、パソコン側からＤＶカメラと認識される。これにより、パソコン側でＤＶストリームのＤＶカメラへの書き戻し機能が有効となり、ユーザが、パソコン側から上記の書き戻し機能を用いて、ＤＶストリームを外部出力することができるようになるので、パソコン側で編集後のＤＶストリームを簡単にＨＤＤ内蔵ＤＶＤレコーダ内のＤＶＤ又はハードディスクにダビングすることができる。具体的には、ユーザが、パソコン側で上記の書き戻し機能を有するプログラムを用いて、ＤＶストリームのＤＶカメラへの書き戻しを指示すると、パソコン側から、このＨＤＤ内蔵ＤＶＤレコーダにＤＶカメラ用（テープレコーダ／プレーヤサブユニット用）の録画コマンドが送信される。ＨＤＤ内蔵ＤＶＤレコーダは、パソコンからＤＶカメラ用の録画コマンドを受信したときに、コマンド変換テーブルに基づき、受信した録画コマンドをＨＤＤ内蔵ＤＶＤレコーダ用（ディスクレコーダ／プレーヤサブユニット用）の録画コマンドに変換して、変換後の録画コマンドを実行することにより、パソコンから送信されるＤＶストリームをＤＶＤ又はハードディスクに録画する。
【０００９】
上記のように、ＨＤＤ内蔵ＤＶＤレコーダがパソコン側からＤＶカメラと認識されるようにしたことにより、ユーザが、パソコン側でプログラム上の書き戻し機能を用いて、ＨＤＤ内蔵ＤＶＤレコーダに対してＤＶストリームをＤＶＤ又はハードディスクに録画するように指示することができるので、ユーザが、ＨＤＤ内蔵ＤＶＤレコーダ側で録画開始等の指示をする必要がなくなる。従って、ユーザが、パソコン側で編集後のＤＶストリームを、ＨＤＤ内蔵ＤＶＤレコーダ内のＤＶＤ又はハードディスクに簡単にダビングすることができる。また、従来のように、パソコン側で編集したＤＶストリームを一旦ＤＶカメラ内のＤＶテープにダビングした上で、改めてＤＶカメラ内のＤＶテープからＨＤＤ内蔵ＤＶＤレコーダ内のＤＶＤ又はハードディスクにダビングし直すという処理を行った場合と比べて、パソコン側からＨＤＤ内蔵ＤＶＤレコーダ内のＤＶＤ又はハードディスクにＤＶストリームをダビングするのに必要なデータ転送時間を短縮することができるので、ダビング処理全体に要する時間を短縮することができる。
【００１０】
請求項２の発明によるディスク録画装置は、パソコンから入力可能なストリームの種類の問い合わせ用のコマンドを受信したときに、パソコンに対してＤＶストリームと応答し、パソコンから、該当のディスク録画装置が有するサブユニットの種類の問い合わせ用のコマンドを受信したときに、パソコンに対してテープレコーダ／プレーヤサブユニット及びカメラサブユニットと応答することにより、パソコン側からＤＶカメラと認識される。これにより、請求項１に記載のＨＤＤ内蔵ＤＶＤレコーダの場合と同様に、ユーザが、パソコン側からＤＶストリームのＤＶカメラへの書き戻し機能を用いて、ＤＶストリームを簡単にディスク録画装置内のディスク録画媒体にダビングすることができる。また、従来のように、パソコン側で編集後のＤＶストリームを一旦ＤＶカメラ内のＤＶテープにダビングした上で、改めてＤＶカメラ内のＤＶテープからディスク録画装置内のディスク録画媒体にダビングし直すという処理を行った場合と比べて、パソコン側からディスク録画装置内のディスク録画媒体にＤＶストリームをダビングするのに必要なデータ転送時間を短縮することができるので、ダビングに要する時間を短縮することができる。
【００１１】
請求項３の発明によれば、パソコンからテープレコーダ／プレーヤサブユニット用の録画コマンドを受信したときに、コマンド変換テーブルに基づき、受信したテープレコーダ／プレーヤサブユニット用の録画コマンドをディスクレコーダ／プレーヤサブユニット用の録画コマンドに変換して、変換後の録画コマンドを実行することにより、パソコンから送信されるＤＶストリームをディスク録画媒体に録画するようにした。これにより、上記請求項１及び２に記載の効果を的確に得ることができる。
【発明を実施するための最良の形態】
【００１２】
本発明を実施するための最良の形態について図面を参照して説明する。本発明は、ＩＥＥＥ１３９４シリアルバスを介してパーソナルコンピュータ(以下、パソコンと略す)と接続可能な、ＨＤＤ（Hard Disk Drive）内蔵ＤＶＤ（Digital Versatile Disc）レコーダ等のディスク録画装置に関するものである。以下の実施形態では、ＨＤＤ内蔵ＤＶＤレコーダに本発明を適用した場合の例について説明する。なお、以下に記載した実施形態は、本発明を網羅するものではなく、本発明は、下記の形態だけに限定されない。
【００１３】
図１は、本実施形態によるＨＤＤ内蔵ＤＶＤレコーダと、このＨＤＤ内蔵ＤＶＤレコーダとＩＥＥＥ１３９４シリアルバスを介して接続されたパソコンの電気的ブロック構成を示す。このＨＤＤ内蔵ＤＶＤレコーダ１は、ＩＥＥＥ１３９４シリアルバス３（以下、バスと略す）を介して、パソコン２と接続されており、パソコン２から受信した、編集後のＤＶ(Digital Video)ストリームを、ＤＶＤ−ＲＡＭ(Random Access Memory)１１又はＨＤＤ１８内蔵のハードディスク５１（図２参照）に録画することができる。ＨＤＤ内蔵ＤＶＤレコーダ１は、装置の各部を制御するためのＣＰＵ１０（録画制御手段）を備えている。また、ＨＤＤ内蔵ＤＶＤレコーダ１は、ＤＶＤ−ＲＡＭ１１に対して光ビームを照射してデータの記録及び再生を行う光ピックアップ１２（ＤＶＤ録画手段）と、光ピックアップ１２から出力されるＲＦ信号を処理するＲＦ回路１３と、外部入出力機器との間のデータ入出力を行う際のデータ形式の変換等を行う外部インターフェース１４（以下、外部Ｉ／Ｆという）と、ＩＥＥＥ１３９４インタフェース１５（以下、ＩＥＥＥ１３９４Ｉ／Ｆという）と、各種のメッセージを表示するための表示部１６と、各種のデータやプログラム等を記憶するメモリ１７（変換テーブル記憶手段）と、ＨＤＤ１８とを有している。
【００１４】
上記のＩＥＥＥ１３９４Ｉ／Ｆ１５は、バス３を介して外部接続機器との間で制御用コマンドとその応答信号の送受信、及びＤＶストリーム等のストリームの送受信を行うためのものである。また、メモリ１７には、パソコン２から受信したＤＶストリームを、ＤＶＤ−ＲＡＭ１１又はＨＤＤ１８内蔵のハードディスク５１に録画するためのプログラムであるダビング用ＰＧ２１や、パソコン２から受信したテープレコーダ／プレーヤサブユニット用の制御コマンドを、ディスクレコーダ／プレーヤサブユニット用の制御コマンドに変換するためのコマンド変換テーブル２２等のデータが格納されている。さらにまた、ＨＤＤ内蔵ＤＶＤレコーダ１は、リモコン２０から送信された赤外線信号を受信する赤外線信号受信部１９を有している。
【００１５】
図２を参照して、上記ＨＤＤ１８について説明する。ＨＤＤ１８は、記録媒体である複数枚のハードディスク５１と、これらのハードディスク５１に対してデータの記録・読取を行う複数の磁気ヘッド５２と、この磁気ヘッド５２を駆動するヘッド駆動部５３と、ヘッド駆動部５３を制御することによりハードディスク５１に対するデータの記録・読取を制御するＨＤＤ制御部５４と、記録するデータ又は読み出したデータを一時的に保存するバッファメモリ５５とを有している。
【００１６】
次に、図１に戻って、上記のパソコン２の構成について説明する。パソコン２は、装置の各部を制御するためのＣＰＵ３１を備えている。また、パソコン２は、ＤＶカメラ内のＤＶテープへのＤＶストリームの書き戻し機能を有するビデオ編集プログラム３９等のプログラムや各種データを記録したハードディスク３２ａを内蔵するＨＤＤ３２と、上記のビデオ編集プログラム３９を含む各種プログラムがローディングされるＲＡＭ３３と、各種の指示を入力するためのキーボード３４及びマウス３５と、ビデオ編集画面（図４参照）等を表示するディスプレイ３６と、各種制御用のプログラムを格納したＲＯＭ（Read Only Memory）３７とを有している。さらにまた、パソコン２は、バス３を介してＨＤＤ内蔵ＤＶＤレコーダ１等の外部接続機器との間で制御用コマンドとその応答信号の送受信、及びＤＶストリーム等のストリームの送受信を行うためのＩＥＥＥ１３９４Ｉ／Ｆ３８を有している。
【００１７】
次に、図３のフローチャートを参照して、パソコン２側で編集したＤＶストリームを、パソコン２からＨＤＤ内蔵ＤＶＤレコーダ１内のＤＶＤ−ＲＡＭ１１又はハードディスク５１にダビングする際におけるＨＤＤ内蔵ＤＶＤレコーダ１側の処理について説明する。ＨＤＤ内蔵ＤＶＤレコーダ１とパソコン２とがＩＥＥＥ１３９４シリアルバスケーブルを介して接続されたときに、ＨＤＤ内蔵ＤＶＤレコーダ１側のＣＰＵ１０は、パソコン２から接続機器の種類の問合せ用のコマンドを受信すると、この問合せ用のコマンドに対して、自機がＤＶカメラであるかのような応答を行う。より詳細に説明すると、上記接続機器の種類の問合せ用のコマンドは、入力可能なストリームの種類の問合せ用のコマンドと、サブユニットの種類の問合せ用のコマンドとから構成されるので、具体的には、以下のような処理が行われる。すなわち、ＨＤＤ内蔵ＤＶＤレコーダ１側のＣＰＵ１０は、パソコン２から、入力可能な（受信可能な）ストリームの種類の問合せ用のコマンドを受信すると（Ｓ１）、この問合せ用のコマンドに対して、ＤＶストリームであると応答する（Ｓ２）。次に、ＨＤＤ内蔵ＤＶＤレコーダ１側のＣＰＵ１０は、パソコン２から、サブユニットの種類の問合せ用のコマンドを受信すると（Ｓ３）、この問合せ用のコマンドに対して、テープレコーダ／プレーヤサブユニット及びカメラサブユニット（図では、テープ／カメラサブユニットと略す）であると応答する（Ｓ４）。パソコン２は、上記の２つの問合せ用のコマンドに対するＨＤＤ内蔵ＤＶＤレコーダ１からの応答パターンに基いて、ＨＤＤ内蔵ＤＶＤレコーダ１がＤＶカメラであると認識する。
【００１８】
上記のように、パソコン２が、ＨＤＤ内蔵ＤＶＤレコーダ１をＤＶカメラであると認識したことにより、ユーザが、パソコン２側でビデオ編集プログラム３９の書き戻し機能を用いて、ＨＤＤ内蔵ＤＶＤレコーダ１に対してＤＶストリームをＤＶＤ−ＲＡＭ１１又はハードディスク５１にダビングするように指示することができるので、ユーザが、ＨＤＤ内蔵ＤＶＤレコーダ１側で録画開始等の指示をする必要がなくなる。
【００１９】
具体的には、ユーザは、パソコン２とＤＶカメラとをＩＥＥＥ１３９４シリアルバスケーブルを介して接続した上で、パソコン２においてビデオ編集プログラム３９を起動させて、図４に示されるビデオ編集画面４０をディスプレイ３６上に表示させる。次に、このビデオ編集画面４０上のムービー作業欄４１における、ビデオデバイスからの取り込みボタン４２をマウス３５でクリックして、ＤＶカメラからＤＶストリーム形式の撮影画像を取り込んだ後に、ムービーの編集ボタン４３をマウス３５でクリックして、このＤＶストリーム形式の撮影画像に対して編集処理を行う。そして、ユーザが、パソコン２とＤＶカメラとを接続していたＩＥＥＥ１３９４シリアルバスケーブルを取り外し、このＩＥＥＥ１３９４シリアルバスケーブルを用いて、パソコン２とＨＤＤ内蔵ＤＶＤレコーダ１とを接続した上で、ビデオ編集画面４０上のムービー作業欄４１における、ＤＶカメラに送信ボタン４４をマウス３５でクリックして、ＤＶカメラ内のＤＶテープへのＤＶストリームの書き戻しを指示すると、パソコン２側のＣＰＵ３１は、ＤＶカメラ用（テープレコーダ／プレーヤサブユニット用）の録画コマンドを送信する。
【００２０】
なお、図４に示されるビデオ編集画面４０において、ユーザは、マウス３５で候補一覧欄４６上の候補画面の中から選択した撮影画像をドラッグして、ストーリーボード４７内の貼付欄４８に貼り付けることにより、ＤＶストリーム形式の撮影画像に対する編集処理を完了する。また、画像表示欄４９は、再生中（ダビング中）の画像の表示欄である。
【００２１】
ＨＤＤ内蔵ＤＶＤレコーダ１側のＣＰＵ１０は、パソコン２から、テープレコーダ／プレーヤサブユニット用の録画コマンドを受信すると（図６中のＳ５）、メモリ１７に記憶されたコマンド変換テーブル２２に基づき、受信したテープレコーダ／プレーヤサブユニット用の録画コマンドを、ＤＶＤレコーダ又はＨＤＤ用（ディスクレコーダ／プレーヤサブユニット用）の録画コマンドに変換して（Ｓ６）、変換後の録画コマンドを実行する。これにより、パソコン２から送信されるＤＶストリームを、光ピックアップ１２又はＨＤＤ１８を用いてＤＶＤ−ＲＡＭ１１又はハードディスク５１に録画する（Ｓ７）。
【００２２】
そして、パソコン２側からのＤＶストリームの送信が完了した場合や、図４に示される停止ボタン５０が、ユーザによりマウス３５でクリックされたときには、パソコン２側のＣＰＵ３１は、テープレコーダ／プレーヤサブユニット用の停止コマンドを送信する。ＨＤＤ内蔵ＤＶＤレコーダ１側のＣＰＵ１０は、パソコン２から停止コマンドを受信すると（Ｓ８でＹＥＳ）、メモリ１７に記憶されたコマンド変換テーブル２２に基づき、受信したテープレコーダ／プレーヤサブユニット用の停止コマンドを、ＤＶＤレコーダ又はＨＤＤ用（ディスクレコーダ／プレーヤサブユニット用）の停止コマンドに変換して、変換後の停止コマンドを実行する。これにより、ＨＤＤ内蔵ＤＶＤレコーダ１側における録画処理が終了する（Ｓ９）。なお、図４に示される一時停止ボタン５１が、ユーザによりマウス３５でクリックされたときには、パソコン２側のＣＰＵ３１は、テープレコーダ／プレーヤサブユニット用の一時停止コマンドをＨＤＤ内蔵ＤＶＤレコーダ１側に送信し、ＨＤＤ内蔵ＤＶＤレコーダ１側のＣＰＵ１０は、パソコン２から受信した一時停止コマンドを、メモリ１７に記憶されたコマンド変換テーブル２２に基づき、ディスクレコーダ／プレーヤサブユニット用の一時停止コマンドに変換して、変換後の一時停止コマンドを実行する。
【００２３】
上記のように、本実施形態のＨＤＤ内蔵ＤＶＤレコーダ１によれば、パソコン２から入力可能なストリームの種類の問い合わせ用のコマンドを受信したときに、パソコン２に対してＤＶストリームと応答し、パソコン２から、該当のＨＤＤ内蔵ＤＶＤレコーダ１が有するサブユニットの種類の問い合わせ用のコマンドを受信したときに、パソコン２に対してテープレコーダ／プレーヤサブユニット及びカメラサブユニットと応答することにより、パソコン２側からＤＶカメラと認識される。これにより、ユーザが、パソコン２側からＤＶストリームのＤＶカメラへの書き戻し機能を用いて、ＤＶストリームを簡単にＨＤＤ内蔵ＤＶＤレコーダ１内のＤＶＤ−ＲＡＭ１１又はハードディスク５１にダビングすることができる。具体的には、ユーザが、パソコン２側で上記の書き戻し機能を有するビデオ編集プログラム３９を用いて、ＤＶストリームのＤＶカメラへの書き戻しを指示すると、パソコン２側から、このＨＤＤ内蔵ＤＶＤレコーダ１にＤＶカメラ用（テープレコーダ／プレーヤサブユニット用）の録画コマンドが送信される。ＨＤＤ内蔵ＤＶＤレコーダ１は、パソコン２からＤＶカメラ用の録画コマンドを受信したときに、コマンド変換テーブル２２に基づき、受信した録画コマンドをＨＤＤ内蔵ＤＶＤレコーダ１用（ディスクレコーダ／プレーヤサブユニット用）の録画コマンドに変換して、変換後の録画コマンドを実行することにより、パソコン２から送信されるＤＶストリームをＤＶＤ−ＲＡＭ１１又はハードディスク５１に録画することができる。
【００２４】
上記のように、ＨＤＤ内蔵ＤＶＤレコーダ１がパソコン２側からＤＶカメラと認識されるようにしたことにより、ユーザが、パソコン２側からプログラム上の書き戻し機能を用いて、ＨＤＤ内蔵ＤＶＤレコーダ１に対して、ＤＶストリームをＤＶＤ−ＲＡＭ１１又はハードディスク５１に録画するように指示することができるので、ユーザが、ＨＤＤ内蔵ＤＶＤレコーダ１側で録画開始等の指示をする必要がなくなる。従って、ユーザが、パソコン２側で編集したＤＶストリームを、ＨＤＤ内蔵ＤＶＤレコーダ１内のＤＶＤ−ＲＡＭ１１又はハードディスク５１に簡単にダビングすることができる。また、従来のように、パソコン２側で編集したＤＶストリームを一旦ＤＶカメラ内のＤＶテープにダビングした上で、改めてＤＶカメラ内のＤＶテープからＨＤＤ内蔵ＤＶＤレコーダ内のＤＶＤ又はハードディスクにダビングし直すという処理を行った場合と比べて、パソコン側からＨＤＤ内蔵ＤＶＤレコーダ内のＤＶＤ又はハードディスクにＤＶストリームをダビングするのに必要なデータ転送時間を短縮することができるので、ダビング処理全体に要する時間を短縮することができる。
【００２５】
なお、本発明は、上記実施形態に限られるものではなく、様々な変形が可能である。例えば、上記の実施形態では、本発明をＤＶＤ−ＲＡＭの読み書き可能なＨＤＤ内蔵ＤＶＤレコーダに適用した場合の例について示したが、本発明の適用対象となるＨＤＤ内蔵ＤＶＤレコーダは、これに限られず、例えば、ＤＶＤ−ＲやＤＶＤ−ＲＷの読み書き可能なＨＤＤ内蔵ＤＶＤレコーダであってもよい。また、本発明の適用対象は、ＨＤＤ内蔵ＤＶＤレコーダに限られず、ＤＶＤレコーダ、ＨＤＤレコーダ等の、ＨＤＤ内蔵ＤＶＤレコーダ以外のディスク録画装置であってもよい。
【図面の簡単な説明】
【００２６】
【図１】本発明の一実施形態によるＨＤＤ内蔵ＤＶＤレコーダと、このＨＤＤ内蔵ＤＶＤレコーダに接続されたパソコンの電気的ブロック構成図。
【図２】図１中のＨＤＤの構成図。
【図３】上記パソコンからＨＤＤ内蔵ＤＶＤレコーダ内のＤＶＤ−ＲＡＭ又はハードディスクにＤＶストリームをダビングする際におけるＨＤＤ内蔵ＤＶＤレコーダ側の処理を示すフローチャート。
【図４】上記パソコン側のディスプレイ上に表示されるビデオ編集画面を示す図。
【符号の説明】
【００２７】
１    ＨＤＤ内蔵ＤＶＤレコーダ（ディスク録画装置）
２    パソコン
３    バス（ＩＥＥＥ１３９４シリアルバス）
１０  ＣＰＵ（録画制御手段）
１１  ＤＶＤ−ＲＡＭ
１２  光ピックアップ（ＤＶＤ録画手段）
１５  ＩＥＥＥ１３９４Ｉ／Ｆ（ＩＥＥＥ１３９４インタフェース）
１７  メモリ（変換テーブル記憶手段）
１８  ＨＤＤ
２２  コマンド変換テーブル
５１  ハードディスク
【図１】
2006217463.tif 000003
【図２】
2006217463.tif 000004
【図３】
2006217463.tif 000005
【図４】
2006217463.tif 000006